(57)【要約】  【課題】  ストロボ用のコンデンサの外周部を有効利用することにより、ストロボ用のコンデンサの容量増と、本体の小型化、薄型化とを両立することができる撮像装置を提供する。  【解決手段】  ストロボユニット６において、ストロボ発光回路８を介してストロボ発光部７にストロボ発光用の電荷を放出するストロボ給電部９を、絶縁スリーブが外周部に被覆されていないコンデンサ１０，１１，１２により構成する。電気配線に使用しているフレキシブル配線板１３でコンデンサ１０，１１，１２の外周部を覆い、コンデンサ１０，１１，１２を外部と絶縁する。【選択図】        図２
2005316075.tif 000002
【特許請求の範囲】
【請求項１】
ストロボを内蔵する撮像装置において、
絶縁材が外周部に被覆されていない隣接して配置された複数個のコンデンサと、ストロボ発光回路と、ストロボ発光部とからなるストロボシステムと、
上記コンデンサの外周部を覆うフレキシブル配線板とを有することを特徴とする撮像装置。
【請求項２】
請求項１において、
上記複数個のコンデンサは、すべて同径のものが使用されていることを特徴とする撮像装置。
【請求項３】
請求項１において、
上記複数個のコンデンサの一部が他のものより短いものとされることで設けられたスペースに、上記ストロボ発光部が配置されることを特徴とする撮像装置。
【発明の詳細な説明】
【技術分野】
【０００１】
この発明は、撮像装置に関し、特に、ストロボシステムを内蔵するディジタルカメラなどの撮像装置に関する。
【背景技術】
【０００２】
近年、ディジタルカメラなどの撮像装置に内蔵されるストロボシステムの高ガイドナンバー化が要求されている。高ガイドナンバー化を実現するためには、ストロボ用のメインコンデンサの容量増に伴うメインコンデンサの大型化が避けられない。メインコンデンサの大型化は、撮像装置本体の小型化、薄型化の障害となる。
【０００３】
下記の特許文献１には、大型で大容量なメインコンデンサを１本だけ使用するのではなく、２本のサブコンデンサを、カメラ本体内の構成ユニット間に離して実装し、並列接続することで容量確保とカメラ本体の小型化とを両立させるコンデンサの配置構造が記載されている。
【０００４】
【特許文献１】特開平１０−１６１２１６号公報
【発明の開示】
【発明が解決しようとする課題】
【０００５】
しかしながら、従来は、ストロボ用のコンデンサを複数本使用することだけでコンデンサの厚さを薄くし、撮像装置の厚さを薄くしていた。また、特許文献１に記載されているコンデンサの配置構造は、２本のコンデンサを離してカメラ内に実装している為、各コンデンサ間の高圧配線長が長くなるという問題点があった。
【０００６】
ストロボ用のコンデンサの外周には、通常、コンデンサの外装ケースを絶縁するための絶縁用スリーブが被覆されている。コンデンサの絶縁用スリーブを省略することで、更なるコンデンサの容量増または撮像装置の薄型化が可能だが、この場合、撮像装置の筐体等とコンデンサとがショートする危険性がある。
【０００７】
したがって、この発明の目的は、ストロボ用のコンデンサの外周部を有効利用することにより、ストロボ用のコンデンサの容量増と、本体の小型化、薄型化とを両立することができる撮像装置を提供することにある。
【０００８】
また、この発明の目的は、ストロボ用のコンデンサを複数個使用した場合に、各コンデンサ間の高圧配線長を短縮することができる撮像装置を提供することにある。
【課題を解決するための手段】
【０００９】
上記目的を達成するために、この発明は、ストロボを内蔵する撮像装置において、絶縁材が外周部に被覆されていない隣接して配置された複数個のコンデンサと、ストロボ発光回路と、ストロボ発光部とからなるストロボシステムと、コンデンサの外周部を覆うフレキシブル配線板とを有することを特徴とする撮像装置である。
【発明の効果】
【００１０】
この発明では、フレキシブル配線板を、絶縁材が外周部に被覆されていない複数個のコンデンサの外周部を覆い、複数個のコンデンサを外部と絶縁するように配置することで、コンデンサを絶縁し、且つコンデンサの外周部を配線スペースとして有効的に利用することができる。これにより、ストロボ用のコンデンサの容量増と、本体の小型化、薄型化とを両立することができるという効果を奏する。
【００１１】
また、コンデンサを複数個隣接して配置することで、各コンデンサ間の高圧配線長を短縮することができるという効果を奏する。
【発明を実施するための最良の形態】
【００１２】
以下、この発明の一実施形態について図面を参照して説明する。この一実施形態では、撮像装置をディジタル電子スチルカメラ（以下、適宜、ディジタルカメラと称する）として説明するが、ディジタルカメラに限定されるわけではなく、カムコーダ、カメラ付き携帯電話機等の他の撮像装置にもこの発明を適用することができる。
【００１３】
図１は、この発明の一実施形態によるディジタルカメラの構成の一例である。ディジタルカメラ１は、板金筐体２内にレンズユニット３、メイン制御ユニット４、バッテリユニット５およびストロボユニット６が収められた構造を有している。
【００１４】
板金筐体２は、アルミニウムなどの金属を加工することにより形成された、薄い略箱型の形状をなす筐体である。なお、図１では、板金筐体２の内部の各ユニットを表示するため、正面側、左側面および上面側を省略している。また、図示しないが、ディジタルカメラ１の背面側の板金筐体２には、画像表示などに使用されるＬＣＤ（Liquid Crystal Display）などの表示ユニットが嵌め込まれている。
【００１５】
レンズユニット３は、撮影レンズ、撮像素子、例えばＣＣＤ（Charge Coupled Device）などを有するディジタルカメラ１における光学系の処理を行う装置である。メイン制御ユニット４は、マイコンなどの電子部品が搭載されたプリント配線基板などを有するディジタルカメラ１の全体的な制御を行う装置である。メイン制御ユニット４は、レンズユニット３、バッテリユニット５、ストロボユニット６と、それぞれ電気的に接続されており、各ユニットを制御する。
【００１６】
バッテリユニット５は、リチウムイオン二次電池などの電源系の部品を有するディジタルカメラ１における電源系の装置である。
【００１７】
なお、これらレンズユニット３、メイン制御ユニット４、バッテリユニット５およびストロボユニット６は、小型化および薄型化を考慮した構成とされているが、機能、動作等は、周知のディジタルカメラと同様であり、ここでは説明を省略する。
【００１８】
ここで、ストロボユニット６の構造について詳細に説明する。図２は、ストロボユニット６の構造の一例を示す。図２Ａは、正面方向からの斜視図であり、図２Ｂは、背面方向からの斜視図である。
【００１９】
ストロボユニット６は、ストロボ発光部７と、ストロボ発光回路８と、ストロボ給電部９とで構成されている。
【００２０】
ストロボ発光部７は、ディジタルカメラ１内に固定されたキセノン管などを有するストロボ装置であり、ストロボ給電部９の放電により発光する。ストロボ発光回路８は、ストロボ給電部９とストロボ発光部７およびメイン制御ユニット４とを電気的に接続する電気回路であり、ストロボ給電部９の蓄電／放電を制御する。
【００２１】
ストロボ給電部９は、複数個のコンデンサ（コンデンサ１０，１１，１２）から構成されており、ストロボ発光用の電荷の蓄電／放電を行う。コンデンサ１０，１１，１２は、絶縁材が外周部に被覆されていない構造を有するアルミ電解コンデンサなどのストロボ用コンデンサである。ストロボ用コンデンサは、通常、アルミニウムなどの金属からなる円筒形状の外装ケースの周囲に、外装ケースと外部とを電気的に絶縁する絶縁用スリーブが被覆された構造を有している。絶縁用スリーブは、合成樹脂などからなる絶縁部材である。すなわち、コンデンサ１０，１１，１２は、絶縁用スリーブを省略した構造を有している。
【００２２】
コンデンサ１０，１１，１２は、互いの外周面が接して配置されており、電気的に並列に接続されている。すなわち、ストロボ給電部９は、複数個の小径コンデンサを使用することで、１個の大径コンデンサを使用する場合と同等、またはそれ以上の容量を得る構造とされている。小径コンデンサを使用しているため、１個の大径コンデンサを使用する場合と比較して、ディジタルカメラ１の形状を薄くすることができる。コンデンサ１０，１１，１２をそれぞれ隣接して配置することで、各コンデンサ間の高圧配線長を短縮することができ、高圧配線による他の配線および部品などへの影響を抑制することができる。
【００２３】
また、コンデンサ１０，１１，１２は、すべて同径のものが使用されており、板金筐体２内の空間に沿って上下に重ねられている。これにより、ディジタルカメラ１の形状を薄く且つ平坦にすることができる。
【００２４】
また、コンデンサ１０は、他のコンデンサ１１および１２よりも筒長が短く構成されており、それにより設けられたスペースにストロボ発光部７が配置されている。すなわち、ストロボ発光部７と板金筐体２との間のスペースにコンデンサ１０が配置されている。このように、コンデンサ１０，１１，１２のそれぞれの筒長を、配置スペースに応じて調整することで、ストロボ発光部７と板金筐体２との間などに生じる狭いスペースを有効的に利用することができる。
【００２５】
コンデンサ１０，１１，１２の表面には、フレキシブル配線板１３が巻きつくように配置されている。フレキシブル配線板１３は、表面絶縁性を有した周知のフレキシブル配線板である。フレキシブル配線板１３は、ディジタルカメラ１内の電気配線、例えばＬＣＤとメイン制御ユニット４との電気的な接続に使用されている。
【００２６】
図３は、点Ａ〜点Ｄで囲った範囲のストロボ給電部９と板金筐体２の断面を示す。フレキシブル配線板１３は、コンデンサ１０，１１，１２と表面側の板金筐体２ａおよび背面側の板金筐体２ｂとの間に挟まる形で、コンデンサ１０，１１，１２の表面に巻きつくように配置されている。このように、フレキシブル配線板１３がコンデンサ１０，１１，１２の外周部を覆うことで、コンデンサ１０，１１，１２の外装ケースを板金筐体２や金属製の補強板などの外部の導電体と電気的に絶縁している。なお、コンデンサ１０，１１，１２のフレキシブル配線板１３で覆われていない部分は、外装ケースが外部の導電体と接しない構造とされている。
【００２７】
絶縁スリーブとフレキシブル配線板１３は、共に厚さが０．１ｍｍ程度であり、フレキシブル配線板１３がコンデンサ１０，１１，１２の絶縁とディジタルカメラ１内の電気配線とを行っていることで、ストロボ給電部９での、特に厚さに関して効率の良い配置を実現できる。ストロボ給電部９の厚さは、ディジタルカメラ１の厚さに影響するため、ストロボ給電部９の厚さを薄くすることで、ディジタルカメラ１の厚さを薄くすることができる。
【００２８】
この発明は、上述したこの発明の実施形態に限定されるものでは無く、この発明の要旨を逸脱しない範囲内で様々な変形や応用が可能である。例えば、上述した一実施形態では、直径が同じストロボ用コンデンサを３個使用し、ストロボ発光部７と重なるコンデンサ１０のみを他のコンデンサ１１および１２よりも短い構造としたが、ストロボ用コンデンサのそれぞれの外形寸法および容量などの種類、ならびにコンデンサの個数、配置場所などは、実装スペースおよび必要とされるストロボの光量に基づき適切に設定可能である。
【００２９】
また、上述した一実施形態では、ストロボを有する撮像装置について説明したが、撮像装置に限らず、小型化、薄型化を目的としたストロボシステム単体についても適用することができる。
【図面の簡単な説明】
【００３０】
【図１】この発明の一実施形態によるディジタルカメラの構成の一例を示す略線図である。
【図２】ストロボユニットの斜視図である。
【図３】ストロボ給電部の断面図である。
【符号の説明】
【００３１】
１・・・ディジタルカメラ
２・・・板金筐体
６・・・ストロボユニット
７・・・ストロボ発光部
８・・・ストロボ発光回路
９・・・ストロボ給電部
１０，１１，１２・・・コンデンサ
１３・・・フレキシブル配線板
【図１】
2005316075.tif 000003
【図２】
2005316075.tif 000004
【図３】
2005316075.tif 000005